(57)【要約】【課題】熱可塑性エラストマー製のダイアフラムを備えるセンサユニットに適した構造を提供する。【解決手段】開口部１２３を有する容器状の基体１２０と、開口部１２３を封止する熱可塑性エラストマー製のダイアフラム１１０と、基体１２０と係合し、開口部１２３に向かってダイアフラム１１０を押圧するキャップ１３０とを備え、ダイアフラム１１０は、開口部１２３の外周面に密着する第一固定部１１１と、第一固定部１１１の内側に配置され、開口部１２３の端面に密着する第二固定部１１２と、第二固定部１１２の内側に配置され、圧力に従って変位する円板状の変位部１１５と、第二固定部１１２と変位部１１５とを接続する膜状の薄肉部１１４と、第二固定部１１２からキャップ１３０側に向かって突出し、円周上に点在しキャップ１３０と当接する突出部とを備える。【選択図】図１
2014119324.tif 000002
【特許請求の範囲】
【請求項１】
液体を流通させる液体回路内の圧力を測定する回路内圧センサに用いられるセンサユニットであって、
前記液体回路内に介在配置され、開口部を有する容器状の基体と、
前記開口部を封止する熱可塑性エラストマー製のダイアフラムと、
前記基体と係合し、前記開口部に向かって前記ダイアフラムを押圧するキャップとを備え、
前記ダイアフラムは、
前記開口部の外周面に密着する円筒状の第一固定部と、
前記第一固定部の内側に配置され、前記基体の前記開口部の端面に密着する円環状の第二固定部と、
前記第二固定部の内側に配置され、圧力に従って変位する円板状の変位部と、
前記第二固定部と前記変位部とを接続する膜状の薄肉部と、
前記第二固定部から前記キャップと当接するように前記キャップ側に向かって突出し、前記第二固定部の円環状の端面に複数個配置される突出部とを備える
回路内圧測定用センサユニット。
【請求項２】
前記キャップは、
前記ダイアフラムの前記突出部と線状に当接する稜線を有する山脈状の押圧部を備える
請求項１に記載の回路内圧測定用センサユニット。
【請求項３】
前記押圧部は、
前記稜線を同心円上に並んで複数本有する
請求項２に記載の回路内圧測定用センサユニット。
【請求項４】
前記キャップは、
前記押圧部の内側から前記変位部に重なる位置まで内側に向かって張り出し、通常の測定時においては前記変位部と離れた位置に配置される張出部を備える
請求項２に記載の回路内圧測定用センサユニット。
【請求項５】
液体を流通させる液体回路内の圧力を測定するためのセンサユニットに用いられるダイアフラムであって、
前記液体回路内に介在配置され、一方に開口を有する容器状の基体の開口部の外周面に密着する円筒状の第一固定部と、
前記第一固定部の内側に配置され、前記基体の前記開口部の端面に密着する円環状の第二固定部と、
前記第二固定部の内側に配置され、圧力に従って変位する円板状の変位部と、
前記第二固定部と前記変位部とを接続する膜状の薄肉部と、
前記第二固定部から前記キャップと当接するように前記キャップ側に向かって突出し、前記第二固定部の円環状の端面に複数個配置される突出部とを備える
熱可塑性エラストマー製の回路内圧測定用ダイアフラム。
【発明の詳細な説明】
【技術分野】
【０００１】
本願発明は、人体から導出された血液の処理や人体への薬液注入を行う血液浄化装置、特に透析装置に適用される液体回路内の圧力を測定するセンサユニット、および、回路内圧測定用ダイアフラムに関する。
【背景技術】
【０００２】
血液浄化療法を行う場合、患者の血液を体外に導出し、この血液をフィルタに通した後、再び患者に血液を戻す血液回路や、透析液を流通させる透析液回路、透析や濾過により除去される血液中の水分を補給する補液回路などの液体回路がチューブなどを用いて構築されている。
【０００３】
前記液体回路内に流通する液体の情報、特に血液回路内に流通する血液の圧力は透析状態を制御するために重要な情報である。そして、血液回路内の圧力を測定する方法としては、従来、血液回路から分岐する回路を別途設けて当該分岐した回路の終端部に水銀柱などによって圧力を測る方法が採用される場合がある。また、ダイアフラムを血液回路中に備え、ダイアフラムの出没状態から血液回路内の圧力を直接測定する方法なども採用されている（例えば、特許文献１）。
【０００４】
従前、ダイアフラムの材質としては液体回路中の圧力の変化に対し高い応答性を示すゴム（例えばイソプレンゴム）が採用されている。さらに、ゴム製のダイアフラムの一部を撓ませた構造とすることで、圧力の変化に対する応答性を高める構造的な工夫が施される場合もある（例えば、特許文献２の図２参照）。
【先行技術文献】
【特許文献】
【０００５】
【特許文献１】特開２００３−１３９６３５号公報
【特許文献２】特開２００６−２１４７３９号公報
【発明の概要】
【発明が解決しようとする課題】
【０００６】
ところが、ゴム製のダイアフラムは、プレス成形等により製造されるが、プレス成形されたダイアフラムの品質にばらつきが大きいという課題がある。例えば、製造されたゴム製のダイアフラム全体の弾性などの性能のばらつきが大きいと、回路内圧を測定するためにセンサユニットに組み付けられるダイアフラムの品質の個体差を吸収するために、測定装置の調整に時間がかかる場合もある。
【０００７】
また、回路内圧を測定するためのダイアフラムが組み付けられるセンサユニットは、使い捨てである。しかし、ゴム製のダイアフラムは比較的高価であり、使い捨てのダイアフラムとしては妥当ではない。
【０００８】
従って、品質が安定し、かつ、気軽に使い捨てすることができるダイアフラムを備えるセンサユニットが望まれている。
【０００９】
そこで、本願発明者は、製造されたダイアフラムの品質に個体間の差が少なく、比較的安価に製造することができるダイアフラムの材質として熱可塑性エラストマーに着目し、熱可塑性エラストマー製のダイアフラムの構造に関する発明について別途出願している。
【００１０】
そして、本願発明者はさらに実験と研究とを重ねた結果、熱可塑性エラストマー製のダイアフラムによって良好な液密性能を確保するためには、ダイアフラムを基体に押しつけることが好ましいが、ダイアフラムを押しつけるための部材が長期間の使用などにより破損してしまう可能性があることを見出した。
【００１１】
本願発明は、知見に基づいてなされたものであり、熱可塑性エラストマー製のダイアフラムでありながら、基体とダイアフラムとの間の液密状態を有効に確保することができるダイアフラム、および、当該ダイアフラムが組み込まれた回路内圧測定用センサユニットの提供を目的としている。
【課題を解決するための手段】
【００１２】
上記目的を達成するために、本願発明にかかる回路内圧測定用センサユニットは、液体を流通させる液体回路内の圧力を測定する回路内圧センサに用いられるセンサユニットであって、前記液体回路内に介在配置され、開口部を有する容器状の基体と、前記開口部を封止する熱可塑性エラストマー製のダイアフラムと、前記基体と係合し、前記開口部に向かって前記ダイアフラムを押圧するキャップとを備え、前記ダイアフラムは、前記開口部の外周面に密着する円筒状の第一固定部と、前記第一固定部の内側に配置され、前記基体の前記開口部の端面に密着する円環状の第二固定部と、前記第二固定部の内側に配置され、圧力に従って変位する円板状の変位部と、前記第二固定部と前記変位部とを接続する膜状の薄肉部と、前記第二固定部から前記キャップと当接するように前記キャップ側に向かって突出し、前記第二固定部の円環状の端面に複数個配置される突出部とを備えることを特徴としている。
【００１３】
これによれば、キャップは、円周上に点在するダイアフラムの突出部を押圧することによりダイアフラムを基体に押圧し、基体の開口部を液密状態に封止しているため、キャップがダイアフラムから受ける力が分散し、弱まる。従って、キャップにかかる負荷を軽減することができ、キャップが破損することを抑止することができる。
【００１４】
また、前記キャップは、前記ダイアフラムの前記突出部と線状に当接する稜線を有する山脈状の押圧部を備えてもよい。
【００１５】
これによれば、キャップの押圧部とダイアフラムの突出部とは、理論的には線状に当接することになり、キャップがダイアフラムから受ける力を軽減することができる。従って、キャップにかかる負荷をさらに軽減して、キャップが破損することを抑止することができる。
【００１６】
また、前記押圧部は、前記稜線を同心円上に並んで複数本有してもよい。
【００１７】
これによれば、キャップの押圧部とダイアフラムの突出部とは、複数の稜線で当接することになり、キャップがダイアフラムから受ける力を分散することができる。従って、キャップにかかる負荷をさらに軽減して、キャップが破損することを抑止することができる。また、一つの突出部を同心円上に並ぶ複数の稜線で押圧するため、キャップがダイアフラムをより安定して押圧することができる。
【００１８】
前記キャップは、前記押圧部の内側から前記変位部に重なる位置まで内側に向かって張り出し、通常の測定時においては前記変位部と離れた位置に配置される張出部を備えてもよい。
【００１９】
これによれば、異常な圧力がダイアフラムに印加された場合でも、ダイアフラムの異常な変形を抑制してダイアフラムと基体との間の液密状態を維持することができる。従って、センサユニットが取り付けられた液体回路が空気に暴露されることを抑止できる。
【００２０】
また、上記目的を達成するために、本願発明にかかるダイアフラムは、液体を流通させる液体回路内の圧力を測定するためのセンサユニットに用いられるダイアフラムであって、前記液体回路内に介在配置され、一方に開口を有する容器状の基体の開口部の外周面に密着する円筒状の第一固定部と、前記第一固定部の内側に配置され、前記基体の前記開口部の端面に密着する円環状の第二固定部と、前記第二固定部の内側に配置され、圧力に従って変位する円板状の変位部と、前記第二固定部と前記変位部とを接続する膜状の薄肉部と、前記第二固定部から前記キャップと当接するように前記キャップ側に向かって突出し、前記第二固定部の円環状の端面に複数個配置される突出部とを備えることを特徴とする。
【００２１】
当該ダイアフラムを回路内圧測定用センサユニットに用いることで、センサユニットのキャップは、円周上に点在するダイアフラムの突出部を押圧することによりダイアフラムを基体に押圧し、基体の開口部を液密状態に封止しているため、キャップがダイアフラムから受ける力が分散し、弱まる。従って、キャップにかかる負荷を軽減することができ、キャップが破損することを抑止することができる。
【発明の効果】
【００２２】
上記の本発明の構成によれば、より小さな力で開口部へのダイアフラムの嵌合・保持を実現でき、さらに不測の事態によるダイアフラムの損傷も抑止できる。
【図面の簡単な説明】
【００２３】
【図１】図１は、一部を切り欠いた状態で断面と共にセンサユニットを模式的に示す斜視図である。
【図２】図２は、ダイアフラムを上方から模式的に示す斜視図である。
【図３】図３は、ダイアフラムの中心軸を含む面で仮想的に切断した切断面を模式的に示す断面図である。
【図４】図４は、ダイアフラムの中心軸を含む面で仮想的に切断した状態のセンサユニットを模式的に示す断面図である。
【図５】図５は、センサユニットが取り付けられた回路内圧センサを模式的に示す断面図である。
【発明を実施するための形態】
【００２４】
次に、本願発明に係る回路内圧測定用センサユニット、および、回路内圧測定用ダイアフラムの実施の形態について、図面を参照しつつ説明する。なお、以下の実施の形態は、本願発明に係る回路内圧測定用センサユニット、および、回路内圧測定用ダイアフラムの一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２５】
図１は、一部を切り欠いた状態で断面と共にセンサユニットを模式的に示す斜視図であ
る。
【００２６】
同図に示すように、センサユニット１００は、血液などの液体を流通させる液体回路内の圧力を測定する回路内圧センサに用いられるユニットであって、ダイアフラム１１０と、基体１２０と、キャップ１３０とを備えている。
【００２７】
図２は、ダイアフラムを上方から模式的に示す斜視図である。
【００２８】
図３は、ダイアフラムの中心軸を含む面で仮想的に切断した切断面を模式的に示す断面図である。
【００２９】
ダイアフラム１１０は、有底円筒状の基体１２０の開口を封止する部材であり、基体１２０内に流通する液体の圧力が大気圧よりも大きいとき（陽圧）は大気側に向かって凸状に膨張して突出し、基体１２０内に流通する液体の圧力が大気圧よりも小さいとき（陰圧）は液体側に向かって凹状に陥没する部材である。ダイアフラム１１０は、第一固定部１１１と、第二固定部１１２と、変位部１１５と、薄肉部１１４と、突出部１１６とを備えている。
【００３０】
このダイアフラム１１０を構成する樹脂としては、熱可塑性エラストマーが採用されている。熱可塑性エラストマーとしては、例えば、ポリスチレンやポリブタジエンを挙示できる。
【００３１】
ダイアフラム１１０の一部である第一固定部１１１は、基体１２０の開口部１２３の外周面に第一固定部１１１の内周面が密着する円筒状の部分である。ダイアフラム１１０の一部である第二固定部１１２は、第一固定部１１１の内面から内方に突出状に設けられる円環状の部分であり、基体１２０の端面と密着する部分である。ダイアフラム１１０の一部である変位部１１５は、第一固定部１１１の内側に配置され、圧力に従って変位する部分である。ダイアフラム１１０の一部である薄肉部１１４は、第二固定部１１２と変位部１１５とを接続する膜状の部分である。ダイアフラム１１０の一部である突出部１１６は、第二固定部１１２に設けられ、キャップ１３０からの押圧力を受け止める部分である。
【００３２】
また、本実施の形態の場合、変位部１１５の中心部分（つまり、ダイアフラム１１０の中心）であって、センサユニット１００にダイアフラム１１０が取り付けられた状態で大気側に位置する部分には磁性体からなる接続体１１３がダイアフラム１１０と一体になるように設けられている。
【００３３】
第一固定部１１１は、ダイアフラム１１０を基体１２０に固定するための部位であり、基体１２０の開口部１２３の外周面に液密状態で第一固定部１１１の内周面が密着する部位である。第一固定部１１１は、ダイアフラム１１０の最外周に位置し円筒形状となっており、ダイアフラム１１０の面に対し垂直に立設された状態で配置されている。このような構造を採用することにより、第一固定部１１１は、ダイアフラム１１０を基準位置に保持すると共にダイアフラム１１０の全体の形状を安定させ、圧力の変動に伴う変位部１１５の変化の精度を向上させる役割を担っている。
【００３４】
第二固定部１１２は、第一固定部１１１の内側に取り付けられ、基体１２０の開口部１２３の端面に液密状態で密着する断面矩形の円環状の部位である。第二固定部１１２は、基体１２０の開口部１２３と、キャップ１３０とに挟持されることにより開口部１２３の端面と密着し、開口部１２３の全周にわたって液密状態を維持することができるものとなっている。
【００３５】
突出部１１６は、通常時（圧力の測定をしている期間など）においてキャップ１３０と当接する部位である。つまり、通常時においてダイアフラム１１０の部位の内、突出部１１６以外の部位は、キャップ１３０と当接していない。突出部１１６は、第二固定部１１２の開口部１２３の端面と密着する側と反対側に円周上に複数個配置され、キャップ１３０側に向かって突出する部位である。
【００３６】
本実施の形態の場合、突出部１１６は、円周上に５個均等に配置されており、第一固定部１１１から第二固定部１１２にまでリブ状に一体に形成されている。
【００３７】
なお、突出部１１６の数は、突出部１１６の大きさ（特に周方向の長さ）に対応するため、限定されるものではないが、おおよそ３個以上、８個以下であることが好ましい。突出部１１６が２個以下であると、第二固定部１１２を開口部１２３の端面に均等に密着させることが困難となるからである。また、９個以上にしても開口部１２３の端面との密着効果の向上は望めず構造的な無駄となり、また、突出部１１６がキャップ１３０に及ぼす反発力が大きくなり、キャップ１３０にかかる負担が増大し、経時的なキャップ１３０の破損につながる可能性が高くなるからである。
【００３８】
また、第二固定部１１２の開口部１２３の端面と密着する面から突出部１１６が設けられている面までの距離（第二固定部１１２の高さ）は、薄肉部１１４の厚さの３〜６倍の範囲のものが好ましい。第二固定部１１２の高さが、薄肉部１１４の厚さの上記範囲にあれば、点在する突出部１１６からの力を、第二固定部１１２全体に分散させることができず、隣り合う突出部１１６の間で、開口部１２３と第二固定部１１２との間の密着力が乏しくなる可能性が高まるからである。
【００３９】
変位部１１５は、薄肉部１１４によって第二固定部１１２と一体に接続される円板状の部位である。変位部１１５は、接続体１１３を保持し、当該接続体１１３を圧力方向に沿って変位できるように比較的肉厚となっている。また、変位部１１５自体は、圧力の変化によってはほぼ形状は変化せず、一定の形状を保つ部位となっている。
【００４０】
接続体１１３は、磁性体からなる部材であり、変位部１１５とともに変位する部材であって、断面視逆Ｔ字状の円柱形状となされている。接続体１１３を介して、磁力によって接続される後述のロードセルにかかる荷重を測定することで、ダイアフラム１１０に対する陽圧、または陰圧を測定することができ、前記荷重を換算して液体の圧力を測定することができるものとなされている。
【００４１】
本実施の形態の場合、接続体１１３は、ダイアフラム１１０をインジェクション成形する際にダイアフラム１１０と一体に接続されている。また、接続体１１３の材質は、ステンレス鋼が採用されている。
【００４２】
薄肉部１１４は、基体１２０と密着して液密状態を確保する第二固定部１１２と、接続体１１３を保持する変位部１１５とを一体に接続する肉厚の薄い部位である。ダイアフラム１１０は、主として薄肉部１１４により、液体回路内の微妙な圧力変化に追随して変位部１１５を変化させることが可能となっている。より具体的には、薄肉部１１４は、ダイアフラム１１０の中心軸Ｃを含む面で切断した切断面（図３参照）の形状は、直線的な第一棒状部１９１と直線的な第二棒状部１９２とを備えた形状であり、第一棒状部１９１の一端と第二棒状部１９２の一端とが所定の角度で接続されたＶ字形状（本実施の形態の逆Ｖ字形状を含む）となる部分である。
【００４３】
ここで、第一棒状部１９１と第二棒状部１９２とがなす角（前記所定の角度）は８０度以上１２０度以下が好ましい。所定の角度が１２０度より大の場合、第一固定部１１１と変位部１１５との間に架橋状に配置される第一棒状部１９１と第二棒状部１９２との合計長さを長くすることができず、圧力変化に変位部１１５の変位を正確に追随させることが困難になるからである。一方、所定の角度が８０度未満の場合、第一棒状部１９１と第二棒状部１９２との接続部分近傍が狭い溝となり、基体１２０の内方を流通する液体の流れを阻害する可能性が高くなるからである。なお好ましくは、所定の角度は９０度以上、１１０度以下から選定される。
【００４４】
また、第二固定部１１２と変位部１１５との隙間が１．５ｍｍである場合、薄肉部１１４の幅（第一棒状部１９１と第二棒状部１９２との長さの和）は、１．５ｍｍよりも長く、２．５ｍｍ以下が好ましい。薄肉部１１４の幅は、１．５ｍｍ以下になると、Ｖ字形状を取ることができず、２．５ｍｍよりも長くなると、第一棒状部１９１と第二棒状部１９２との接続部分近傍が狭い溝となり、折り返した薄肉部１１４同士が近接しすぎて、円周上の一部において薄肉部１１４の部分同士が接着する可能性が高くなるからである。また、Ｖ字状の溝が深くなって、ダイアフラム１１０の成形が困難になる場合があるからである。
【００４５】
また、本実施の形態の場合、第一棒状部１９１と第二棒状部１９２とは、実質的に同じ長さとなっている。これによれば、薄肉部１１４の第一棒状部１９１と第二棒状部１９２とに均等に張力が配分され、測定誤差を抑制することが可能となる。
【００４６】
また、薄肉部１１４の肉厚は、０．４ｍｍ以上、０．７ｍｍから選定されるのが好ましい。０．４ｍｍ未満の場合、ダイアフラム１１０の強度を確保するのが困難となり、また、ダイアフラム１１０の材質に熱可塑性エラストマーを採用した場合でも、個体差間のばらつきが顕著に認められるようになるからであり、０．７ｍｍよりも厚くした場合、圧力変化に変位部１１５の変位を正確に追随させることが困難となって性能が満足できない。
【００４７】
また、薄肉部１１４の第一棒状部１９１は、第二固定部１１２の一端部に設けられている。
【００４８】
また、薄肉部１１４の断面形状をＶ字形状とすることで、ダイアフラム１１０の材質として熱可塑性エラストマーを採用したことによるクリープ現象の発生を抑制することが可能となる。これは、正確な知見ではないが、第一棒状部１９１と第二棒状部１９２との接合部分が関節のように機能して、クリープ現象を抑制していると考えている。
【００４９】
また、本実施の形態の場合、薄肉部１１４は、基体１２０の外方（大気側）に向かって凸となるように配置される。このように、薄肉部１１４が配置されることにより、基体１２０の内方（液体側）に細い溝が形成されることを抑制し、基体１２０内方で液体がよどむことを可及的に防止している。
【００５０】
図４は、回路内圧測定用センサユニットを示す断面図である。
【００５１】
同図に示すように、基体１２０は、剛性のある樹脂からなり、液体回路に接続され、液体を基体１２０内方に導入するための入口部１２１と、液体を基体１２０から導出するための出口部１２２と、開口部１２３と、開口を囲んで立設される円筒形状のキャップ収容部１２４とを備えている。
【００５２】
入口部１２１および出口部１２２は、液体回路を構成するチューブの端部にそれぞれ挿入されるコックとして機能している。
【００５３】
キャップ収容部１２４は、キャップ１３０を収容する円筒状の部位であり、開口部１２３を囲むように基体１２０に一体に立設されている。また、キャップ収容部１２４の内周壁には収容したキャップ１３０を係止し、キャップ１３０を介してダイアフラム１１０に挟持力を与えるための円環状の第一係合部１２５がキャップ収容部１２４の内周から内方に突出する状態で設けられている。
【００５４】
キャップ１３０は、基体１２０のキャップ収容部１２４と係合し、開口部１２３に向かってダイアフラム１１０を押圧する部材である。キャップ収容部１２４に嵌合可能な円環状の部材であり、その外周部にはキャップ収容部１２４の内周に設けられた第一係合部１２５と係合し、ダイアフラム１１０の第二固定部１１２を開口部１２３の端面に押圧する押圧力を発生させる第二係合部１３２を備えている。なお、キャップ１３０は、ダイアフラム１１０よりも硬質な樹脂で形成されている。
【００５５】
本実施の形態の場合、キャップ１３０は、ダイアフラム１１０の突出部１１６と線状に当接する稜線を有する山脈状の押圧部１３１を備えている。ここで、線状に当接とは、理想的な状態を表現しており、現実的には比較的硬質のキャップ１３０の押圧部１３１の先端がダイアフラム１１０の突出部１１６に食い込み、僅かな幅で面状に当接していると考えられる。また、押圧部１３１の稜線を形成する先端は、鋭利なエッジばかりでなく、曲線や直線で面取りされてものでもかまわない。
【００５６】
このように、キャップ１３０とダイアフラム１１０とが押圧部１３１と突出部１１６との間のみで線状に当接することで、ダイアフラム１１０からの反発力によりキャップ１３０が受ける負荷を軽減することが可能となる。
【００５７】
さらに、本実施の形態の場合、キャップ１３０の押圧部１３１は、中心軸Ｃを中心とする同心円上に複数（２本）の稜線が並んで配置される形状、換言すれば、溝（Ｖ字状、Ｕ字状など）を有する形状となっている。
【００５８】
当該形状を採用することで、ダイアフラム１１０の突出部１１６を放射方向に均一に安定した状態で押さえることが可能となる。これにより、ダイアフラム１１０の取付状態による圧力測定精度への悪影響を抑制することが可能となる。
【００５９】
さらに、キャップ１３０は、押圧部１３１の内側から変位部１１５に重なる位置まで内側に向かって張り出し、通常の測定時においては変位部１１５と離れた位置に配置され、変位部１１５とは当接しない張出部１３３を備えている。
【００６０】
さらにキャップ１３０は、押圧部１３１の外側の第一固定部１１１に対応する位置に、押圧部１３１と同方向に突出し押圧部１３１よりも高さの低い突起部１３４を備える。
【００６１】
張出部１３３、または、突起部１３４は、正常な状態では機能しない部位であるが、液体回路内の圧力が異常に増加した場合などにおいて、ダイアフラム１１０の異常の変形を抑制し、基体１２０とダイアフラム１１０との液密状態が解除される状態や、基体１２０からダイアフラム１１０が脱落する状態が発生することを防止できる。
【００６２】
なお、図中において、押圧部１３１、張出部１３３、突起部１３４は、円環状に記載されているが、特に環状に限定されるものでは無く、円周上に分散状態で配置されるものでもかまわない。
【００６３】
図５は、回路内圧センサを模式的に示す断面図である。
【００６４】
同図に示すように、回路内圧センサ２００は、センサ本体１５０と、上述のセンサユニット１００とを備え、ダイアフラム１１０に印加される正圧、または、負圧を荷重値として検出し電気信号に変換するロードセル１５１を有するセンサ本体１５０を備えている。
【００６５】
ロードセル１５１は、永久磁石１５２を介して接続体１１３と接続されている。これによりダイアフラム１１０に正圧（ロードセル１５１に向かう力）が印加されるばかりでなく、ダイアフラム１１０に負圧（ロードセル１５１から離れる力）が印加された場合にも当該負圧を荷重値として電気信号に変換することができる。
【００６６】
上記のような回路内圧センサによれば、熱可塑性エラストマーで形成されるダイアフラム１１０を有する比較的安価なセンサユニット１００は使い捨てとし、比較的高価なセンサ本体１５０は血液等とは一切接触しないため使い回しすることができる。さらに、ディスポーザブルなセンサユニット１００と、センサ本体１５０とは磁力で接続されているため、繰り返し使用されるセンサ本体１５０との間の脱着も簡易でスムースにできるため利便性に優れている。
【００６７】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００６８】
例えば、上記実施の形態は薄肉部１１４の断面形状をＶ字形状として説明したが、平板形状や、Ｕ字形状等でも良く、また、Ｗ字形状やそれ以上に折り返した蛇腹形状を採用してもかまわない。
【産業上の利用可能性】
【００６９】
本発明は、血液浄化装置や血液循環装置、それらに用いられる液体回路に適用でき、特に使い捨ての液体回路に適用できる。
【符号の説明】
【００７０】
１００  センサユニット
１１０  ダイアフラム
１１１  第一固定部
１１２  第二固定部
１１３  接続体
１１４  薄肉部
１１５  変位部
１１６  突出部
１２０  基体
１２１  入口部
１２２  出口部
１２３  開口部
１２４  キャップ収容部
１２５  第一係合部
１３０  キャップ
１３１  押圧部
１３２  第二係合部
１３３  張出部
１３４  突起部
１５０  センサ本体
１５１  ロードセル
１５２  永久磁石
１９１  第一棒状部
１９２  第二棒状部
２００  回路内圧センサ
【図１】
2014119324.tif 000003
【図２】
2014119324.tif 000004
【図３】
2014119324.tif 000005
【図４】
2014119324.tif 000006
【図５】
2014119324.tif 000007